(57)【要約】【課題】  通常はフロアコンソール等の限られたスペースの幅の範囲内にカップホルダを収めることができ、かつ必要に応じてカップホルダの範囲を拡大して大きい径の容器を２個保持することができるカップホルダ装置を提供する。【解決手段】  幅の限られたスペース上に、上記スペースを超える範囲のカップホルダを形成するカップホルダ装置において、上記スペースの範囲内と、スペースを超える範囲で拡開可能な可動式ホルダ部８を、上記カップホルダ７の一部分に設けたカップホルダ装置。【選択図】        図２
2006062529.tif 000002
【特許請求の範囲】
【請求項１】
幅の限られたスペース上に、上記スペースを超える範囲のカップホルダを形成するカップホルダ装置において、上記スペースの範囲内と、スペースを超える範囲で拡開可能な可動式ホルダ部を、上記カップホルダの一部分に設けたことを特徴とするカップホルダ装置。
【請求項２】
上記カップホルダ装置をフロアコンソールの上面スペースに適用し、フロアコンソールの幅を超える範囲のカップホルダを形成したことを特徴とする請求項１に記載のカップホルダ装置。
【請求項３】
上記フロアコンソールの上面スペースの幅方向に、大きい径の容器対応ホルダ部とともに、大きい径の容器対応ホルダ部の一部を並設し、該大きい径の容器対応ホルダ部の一部に可動式ホルダ部を装着し、大きい径の容器と小さい径の容器に兼用可能に上記可動式ホルダ部を上面スペースの幅方向に拡開可能に構成したことを特徴とする請求項２に記載のカップホルダ装置。
【請求項４】
上記大きい径の容器対応ホルダ部と、大きい径の容器対応ホルダ部の一部を上記フロアコンソールと一体成形し、上記可動式ホルダ部を別体で構成したことを特徴とする請求項３に記載のカップホルダ装置。
【請求項５】
上記大きい径の容器対応ホルダ部の一部に上記可動式ホルダ部の一端部を回動可能に装着し、上記可動式ホルダ部をフロアコンソールの幅を超える範囲に回動して、大きい径の容器対応ホルダ部を構成し、上記可動式ホルダ部をフロアコンソールの幅の範囲内に回動して、小さい径の容器対応ホルダ部を構成したことを特徴とする請求項３または４に記載のカップホルダ装置。
【発明の詳細な説明】
【技術分野】
【０００１】
本発明は、幅の限られたスペース上に、上記スペースを超える範囲にわたってカップホルダを形成することができるカップホルダ装置に関する。
【背景技術】
【０００２】
従来、車両の室内には、コップや缶等の飲料用容器を保持するためのカップホルダが設けられている。この種のカップホルダとしては、インストルメントパネルやフロアコンソールに収納可能に装着されるタイプのものがある。インストルメントパネルやフロアコンソールに収納可能に装着されるタイプのものでは、カップホルダを限られたスペースに収納するために構造が複雑なものが多く、コストアップにつながる。特にインストルメントパネルに装着されるタイプのものでは、カップホルダをインストルメントパネルから引き出してコップや缶等の飲料用容器を置いた場合、飲料用容器が邪魔になってオーディオ機器の操作や灰皿の開閉等が困難となることがある。
【０００３】
そこで、カップホルダをフロアコンソールに装着して、オーディオ機器の操作や灰皿の開閉等を容易に行い、かつ構造を簡単にした先行技術が知られている（特許文献１）。そして、特許文献１のものでは、フロアコンソールの側面に飲料用容器を収納する固定保持枠部材と可動保持枠部材を設けて必要に応じて保持部を拡大して２個の飲料用容器を保持するようにしている。
【特許文献１】特開平９−３２３５７４号公報
【発明の開示】
【発明が解決しようとする課題】
【０００４】
しかしながら、特許文献１のものでは、フロアコンソールの側面に飲料用容器を収納する固定保持枠部材と可動保持枠部材を設けているので、フロアコンソールの幅が大きくなり、室内幅が狭い小さい車種では、乗員の脚やシートと干渉するおそれがあり、かつ組付性が悪くなるので、設定が難しくなる。
【０００５】
本発明は、上記課題を解決し、通常はフロアコンソール等の限られたスペースの幅の範囲内にカップホルダを収めることができ、かつ必要に応じてカップホルダの範囲を拡大して大きい径の容器を２個保持することができるカップホルダ装置を提供することを目的とする。
【課題を解決するための手段】
【０００６】
本発明は、上記課題を解決するため、幅の限られたスペース上に、上記スペースを超える範囲のカップホルダを形成するカップホルダ装置において、上記スペースの範囲内と、スペースを超える範囲で拡開可能な可動式ホルダ部を、上記カップホルダの一部分に設けたことにある。
また、本発明は、上記カップホルダ装置をフロアコンソールの上面スペースに適用し、フロアコンソールの幅を超える範囲のカップホルダを形成したことにある。
さらに、本発明は、上記フロアコンソールの上面スペースの幅方向に、大きい径の容器対応ホルダ部とともに、大きい径の容器対応ホルダ部の一部を並設し、該大きい径の容器対応ホルダ部の一部に可動式ホルダ部を装着し、大きい径の容器と小さい径の容器に兼用可能に上記可動式ホルダ部を上面スペースの幅方向に拡開可能に構成したことにある。
またさらに、本発明は、上記大きい径の容器対応ホルダ部と、大きい径の容器対応ホルダ部の一部を上記フロアコンソールと一体成形し、上記可動式ホルダ部を別体で構成したことにある。
また、本発明は、上記大きい径の容器対応ホルダ部の一部に上記可動式ホルダ部の一端部を回動可能に装着し、上記可動式ホルダ部をフロアコンソールの幅を超える範囲に回動して、大きい径の容器対応ホルダ部を構成し、上記可動式ホルダ部をフロアコンソールの幅の範囲内に回動して、小さい径の容器対応ホルダ部を構成したことにある。
【発明の効果】
【０００７】
本発明の効果として、フロアコンソール等の幅の限られたスペース上に、大きい径の容器と小さい径の容器に兼用して設置することができ、小さい径の容器のときはスペース内に配置することができるとともに、大きい径の容器のときはスペースの幅を超えてホルダ部を形成することができる。また、必要に応じてカップホルダの範囲を拡大して大きい径の容器を２個保持することができる。
【発明を実施するための最良の形態】
【０００８】
以下図示の実施の形態を、図面を参照しながら詳細に説明する。
図１は本発明のカップホルダ装置を適用したフロアコンソールを示す斜視図、図２は図１のカップホルダ装置を示す平面図、図３は図１のＡ−Ａ線断面図である。
【０００９】
図１ないし図３において、１は自動車の運転席側と助手席側の間のフロア２に、車体の前後方向に沿って配設された樹脂成形のフロアコンソールである。このフロアコンソール１は、フロア２の車幅方向中間位置に車体の前後方向に設けられているフロアトンネル３に対応する位置に設けられている。フロアコンソール１は、運転席側と助手席側のシート４相互間に一定の幅で設けられている。
【００１０】
フロアコンソール１の上面１ａには、図４（ａ）に示すように、５００ｍｍｌのペットボトル等の大きい径の容器５Ａが車幅方向に２本並べて配置できるように、大径のカップホルダ部６と、大径のカップホルダ部７の一部分７ａが、車幅方向に連設されて形成されている。大径のカップホルダ部２個分は、図３の二点鎖線で示すように、フロアコンソール１の上面１ａの幅ｍを超えるサイズなので、一方のカップホルダ７の一部７ａには、ホルダ部の一部が回動してスペースを拡開する可動式ホルダ部８が設けられている。フロアコンソール１の上面１ａには、大きい径の容器５Ａに対応するようにカップホルダ部７を形成するために、２つの連続する大径の円を描くように壁面９が連続して形成され、この壁面９がフロアコンソール１の上面１ａの幅ｍになるまで、大きい径の容器５Ａが約半分以上保持できる程度に形成されて、その先の車幅方向の片側側面を開口している。この開口部１０に、図６に示すように、上記可動式ホルダ部８が回動可能に設けられて、配置スペースを拡大可能に構成している。
【００１１】
上記可動式ホルダ部８は、樹脂成形により、円弧状のカップホルダ７の一部を形成するような壁面に構成され、上記開口部１０近傍の壁面９の軸支部９Ａに、基端部８ｃを垂直方向の軸によって、水平面上を回動可能に軸支されている。可動式ホルダ部８の回転機構は、図５に示すように、フロアコンソール１の上面１ａにピン孔１１を形成し、かつ上記開口部１０近傍の壁面９に水平方向に延出したフランジ部９ａを設け、このフランジ部９ａ上面にピン１２が突設されている。上記ピン孔１１とピン１２は同一垂直軸上に設けられている。
一方、上記可動式ホルダ部８の基端部８ｃ上下部に、上記フロアコンソール１の上面１ａおよびフランジ部９ａに対応する位置に延出されたフランジ部８ａ，８ｂが設けられ、上部側フランジ部８ｂには、ピン１２が挿通される孔１３が形成され、かつ下部側フランジ部８ａ下面には、上記ピン孔１１に係合するピン１４が突設されている。上記可動式ホルダ部８は、上記ピン１２，１４を介して回動可能に支持されている。
【００１２】
上記可動式ホルダ部８の回動軸８Ａが設けられた基端部８ｃには、図４（ａ）（ｂ）に示すように、ストッパー機構が設けられている。
このストッパー機構は、上記開口部１０近傍の車幅方向の壁面９ｂに、略Ｕ字状のスリット１５ｂを形成し、このスリット１５ｂの内側の舌片部分１５ａに可動式ホルダ部８に向けて突設したストッパーピン１６が設けられている。このストッパーピン１６に対向する可動式ホルダ部８の基端部８ｃには、図４（ａ）に示すように周縁に沿ってストッパーピン１６に係合する円弧状の凹部８ｄが２箇所に形成されている。こうして、可動式ホルダ部８の回動に伴って基端部８ｃが回動すると、ストッパーピン１６が一方の凹部８ｄから他方の凹部８ｄに移動する。こうして、ストッパーピン１６によって、凹部８ｄとの係合位置を保持され、可動式ホルダ部８は、２段階の位置でストッパーピン１６によりロックされる。この２段階の位置は、大きい径の容器５Ａを保持する位置と、小さい径の容器５Ｂを保持する位置で可動式ホルダ部８をロックする位置である。
上記フロアコンソール１は、図７に示すように、フロアトンネル３の上面に設けられたブラケット１７にクリップ等１８を介して取り付けられている。
【００１３】
次に、上記カップホルダ装置を使用する場合を説明する。
ペットボトル等の大きい径の容器５Ａを１本置くときには、運転席側のカップホルダ部６を使用する。次に、助手席側の乗員がペットボトル等の大きい径の容器５Ａを置くときには、カップホルダ部７を使用する。このとき、可動式ホルダ部８は基端部８ｃを中心に回動してカップホルダ７に沿った大きさまで拡大する。こうして、カップホルダ７の一部７ａと可動式ホルダ部８によってペットボトル等の大きい径の容器５Ａに対応する径まで拡大し、ペットボトル等の大きい径の容器５Ａを保持することができる。また、缶コーヒー、缶ジュースなどの小さい径の容器５Ｂを置くときには、可動式ホルダ部８を基端部８ｃの回転軸８Ａを中心に回動して、先端部がカップホルダ７の内側に入り込み、ホルダ部の面積を縮小して、小さい径の容器５Ｂを保持する。こうして、１８０ｍｍｌ缶などの小さい径の容器５Ｂを保持するときは、フロアコンソール１の上面１ａの範囲内に、小さい径の容器５Ｂを保持することができる。
【００１４】
上記の実施の形態によれば、フロアコンソール１の上面１ａスペースの幅方向に、大きい径の容器対応ホルダ部６とともに、大きい径の容器対応ホルダ部の一部分７ａを並設し、該大きい径の容器対応ホルダ部の一部分７ａに可動式ホルダ部８を装着し、大きい径の容器５Ａと小さい径の容器５Ｂに兼用可能に上記可動式ホルダ部８を上面１ａスペースの幅方向に拡開可能に構成したので、缶コーヒー、缶ジュースなどの小さい径の容器５Ｂと、ペットボトル等の大きい径の容器５Ａとに兼用して使用することができる。また、缶コーヒー、缶ジュースなどの小さい径の容器５Ｂのときは、可動式ホルダ部８をフロアコンソール１の上面１ａスペースの範囲内に収めることができ、ペットボトル等の大きい径の容器５Ａのときは、フロアコンソール１の上面スペースの幅を拡大してペットボトル等の大きい径の容器５Ａに対処することができる。
【００１５】
上記大きい径の容器対応ホルダ部６と、大きい径の容器対応ホルダ部７の一部分７ａを上記フロアコンソール１と一体成形し、上記可動式ホルダ部８を別体で構成したので、可動式ホルダ部８が他の部品と干渉する虞がない。上記可動式ホルダ部８を別体で構成したので、可動式ホルダ部８のみを別成形すればよいので、型費やコストアップを最小限に抑制することができる。
さらに、大きい径の容器対応ホルダ部７の一部７ａに上記可動式ホルダ部８の一端部を回動可能に装着し、上記可動式ホルダ部８をフロアコンソール１の幅を超える範囲に回動して、大きい径の容器対応ホルダ部を構成し、上記可動式ホルダ部８をフロアコンソール１の幅の範囲内に回動して、小さい径の容器対応ホルダ部を構成したので、サイズの異なる容器を保持することができるとともに、大きい径の容器５Ａを保持したときも、突出幅をフロアコンソール１の下端部の幅の範囲内に収めることができる。
【００１６】
なお、本発明は、上記実施の形態のみに限定されるものではなく、例えば、上記実施の形態では、フロアコンソール１の上面スペースにカップホルダ装置を適用したが、インストルメントパネルなど、他の箇所にも適用することができる。また、可動式ホルダ部８の構造についても、上記実施の形態では、一端部を回動可能に構成したが、大きい径の容器対応ホルダ部７の一部分に対して可動式ホルダ部の両端部を接離可能に構成することもできる。さらに、可動式ホルダ部８の一端部にばねを組み込んで、常時、径を縮小する方向に付勢させることも可能である。など、その他、本発明の要旨を変更しない範囲内で適宜、変更して実施し得ることは言うまでもない。
【図面の簡単な説明】
【００１７】
【図１】本発明の実施の形態によるカップホルダ装置を示す斜視図である。
【図２】図１のカップホルダ装置を示す平面図である。
【図３】図１のＡ−Ａ線断面図である。
【図４】（ａ）は図２のカップホルダ装置を示す平面図、（ｂ）は（ａ）の矢視Ｘ方向から見た図である。
【図５】図４のＢ−Ｂ線断面図である。
【図６】図４のＣ−Ｃ線断面図である。
【図７】図１のＤ−Ｄ線断面図である。
【符号の説明】
【００１８】
１  フロアコンソール
２  フロア
３  フロアトンネル
４  シート
５Ａ  大きい径の容器
５Ｂ  小さい径の容器
６，７カップホルダ部
８  可動式ホルダ部
９  壁面
１０  開口部
１１  ピン孔
１２，１４，１６  ピン
１３  孔
【図１】
2006062529.tif 000003
【図２】
2006062529.tif 000004
【図３】
2006062529.tif 000005
【図４】
2006062529.tif 000006
【図５】
2006062529.tif 000007
【図６】
2006062529.tif 000008
【図７】
2006062529.tif 000009